(57)【要約】      （修正有）【課題】安定した切削作業を行える調理器具を提供する。【解決手段】切削部２と、切削部２を保持する保持部３と、保持部３に接続される柄部４と、を含み、柄部４は、縦長に形成され、保持部３に延設される前段柄部４１と、調理器具１の末端である後段柄部４３とを含む。前段柄部４１は、切削作業の際に、使用者が指で調理器具１を抑えるための指押し部４１１を含んで構成される。【選択図】図１
0003208958.tif 000002
【実用新案登録請求の範囲】
【請求項１】
切削部と、
前記切削部を保持する保持部と、
前記保持部に接続される柄部と、を含み、
前記柄部には、前記調理器具を押えるための指押し部が設けられる
ことを特徴とする調理器具。
【請求項２】
請求項１に記載の調理器具であって、
前記柄部は、前記保持部に延設される前段柄部と、前記調理器具の末端を構成する後段柄部とを含み、
前記指押し部は、前記前段柄部に設けられる
ことを特徴とする調理器具。
【請求項３】
請求項１又は２に記載の調理器具であって、
前記柄部は、前記前段柄部と前記後段柄部との間にリング状の指通し部を含む
ことを特徴とする調理器具。
【請求項４】
請求項１〜３のいずれか一項に記載の調理器具であって、
前記柄部は、前記後段柄部に対して屈曲する屈曲部が前記前段柄部付近に設けられる
ことを特徴とする調理器具。
【請求項５】
請求項１〜４のいずれか一項に記載の調理器具であって、
前記切削部は、第１刃部及び第２刃部の２つの刃部を含み、
前記柄部には、前記第１刃部及び前記第２刃部とそれぞれ対応する前記指押し部が設けられる
ことを特徴とする調理器具。
【請求項６】
請求項５に記載の調理器具であって、
前記第１刃部及び前記第２刃部の一方又は双方は、複数の前記指押し部と対応している
ことを特徴とする調理器具。
【請求項７】
請求項５又は６に記載の調理器具であって、
前記第１刃部は平刃又はギザ刃を含んで構成され、
前記第２刃部は複数の立刃を含んで構成される
ことを特徴とする調理器具。
【考案の詳細な説明】
【技術分野】
【０００１】
本考案は、調理器具に関する。
【背景技術】
【０００２】
従来、食材を切削するための調理器具として、例えば、握柄の端付近に支桿が設けられていて該支桿に湾曲した刃の両端が支えられていて該刃によって丸みを帯びた物の表皮をむくことが出来るようにした皮むき器が開示されている（特許文献１を参照）。
【先行技術文献】
【特許文献】
【０００３】
【特許文献１】特開２００１−３１４３１６号公報
【考案の概要】
【考案が解決しようとする課題】
【０００４】
しかし、上記皮むき器は、握柄を掌と指全体で握って作業を行うこととなるため、力が皮むき器の後半に集中してしまい、先端に位置する切削部としての刃の動きが不安定となり、揺れ動きやすくなる。
【０００５】
本考案は、上記課題を解決するためのもので、安定した切削作業を行える調理器具を提供することを目的とする。
【課題を解決するための手段】
【０００６】
上記課題を解決するために、本考案に係る調理器具は、切削部と、前記切削部を保持する保持部と、前記保持部に接続される柄部と、を含み、前記柄部には、前記調理器具を押えるための指押し部が設けられる。
【０００７】
また、前記柄部は、前記保持部に延設される前段柄部と、前記調理器具の末端を構成する後段柄部とを含み、前記指押し部は、前記前段柄部に設けられてもよい。
【０００８】
また、前記柄部は、前記前段柄部と前記後段柄部との間にリング状の指通し部を含んでもよい。
【０００９】
また、前記柄部は、前記後段柄部に対して屈曲する屈曲部が前記前段柄部付近に設けられてもよい。
【００１０】
また、前記切削部は、第１刃部及び第２刃部の２つの刃部を含み、前記柄部には、前記第１刃部及び前記第２刃部とそれぞれ対応する前記指押し部が設けられてもよい。
【００１１】
また、前記第１刃部及び前記第２刃部の一方又は双方は、複数の前記指押し部と対応していてもよい。
【００１２】
また、前記第１刃部は平刃又はギザ刃を含んで構成され、前記第２刃部は複数の立刃を含んで構成されてもよい。
【考案の効果】
【００１３】
本考案によれば、安定した切削作業を行える調理器具を提供することができる。
【図面の簡単な説明】
【００１４】
【図１】実施形態１に係る調理器具を示す図である。
【図２】実施形態１に係る調理器具の使用状態を示す図である。
【図３】実施形態２に係る調理器具を示す図である。
【図４】実施形態２に係る調理器具を示す図である。
【図５】実施形態２に係る調理器具の切削片を説明するための図である。
【図６】実施形態２に係る調理器具の切削片を説明するための図である。
【考案を実施するための形態】
【００１５】
以下、図面を参照して本願に係る調理器具の実施形態の例を説明する。本願では、切削作業における切削対象食材に近い方向を下方とし、その逆方向を上方とする。
【００１６】
＜実施形態１＞
図１は実施形態１に係る調理器具１を示す図で、図１（ａ）は上方からの斜視図、図１（ｂ）は下方からの斜視図である。図２は調理器具１の使用状態を示す図である。
【００１７】
調理器具１は、食材の切削作業に用いられる器具であり、図１に示すように、切削部２と、切削部２を保持する保持部３と、保持部３に接続される柄部４とを含む。
【００１８】
切削部２は、切削作業を行う部分であり、食材を切削する刃部２１と、刃部２１よりも先に食材に当接して切削作業をガイドするガイド部２２とを含む。刃部２１とガイド部２２は、図示のように、所定の間隔を置いて一体に形成されて保持部３に保持（支持）されてもよいし、別体に形成されて、所定の間隔を置いてそれぞれ保持部３に保持されてもよい。
【００１９】
また、刃部２１は、第１刃部２１１と、第２刃部２１２の二つの刃部を含んでもよい。一例として、図示のように、第１刃部２１１は、ガイド部２２に近いほうの縁部が刃付けされて平刃やギザ刃として構成することができる。また、一例として、図示のように、第２刃部２１２は、複数の立刃を含む立刃群として構成することができ、ガイド部２２にスポット溶接等で取り付けられている。切削作業においては、食材は、第２刃部によって切り込まれ、続いて第１刃部によって切り込まれた部分が削られて、細長い切削片に切削される。
【００２０】
保持部３は、例えば、図示のように両端部が下方に略垂直に屈折する略コの字形状に形成され、コの字形状の両端において切削部２が取り付けられて、これを保持する。切削部２は、例えば図示のように、切削部２の両端の棒状部が、保持部３の両端の貫通孔に挿通されて取り付けられる。
【００２１】
柄部４は、保持部３に接続され、使用者が切削作業を行う際に調理器具１を手で持つ部分である。柄部４は、縦長に形成され、保持部３に延設される前段柄部４１と、調理器具１の末端である後段柄部４３とを含む。また、柄部４は、前段柄部４１と後段柄部４３との間に、指通し部４２を含んでもよい。
【００２２】
前段柄部４１は、切削作業の際に、使用者が指で調理器具を抑えるための指押し部４１１を含んで構成される。指押し部４１１は、例えば、下方に凹下する凹部、例えば凹みとして形成される。また、ここでは、指押し部４１１は、指の太さの幅程度で凹下する（凹む）ように構成されることが望ましい。
【００２３】
前段柄部４１は、複数の指押し部を含んで構成されてもよい。一例として、図示のように、前段柄部４１は、上下方向に湾曲する湾曲形状に形成されるともに、上下両面において長手方向に伸びる略楕円形状の凹部が設けられて、第１指押し部４１１、第２指押し部４１２、第３指押し部４１３の三つの指押し部を含む。
【００２４】
より具体的には、第１指押し部４１１は前段柄部４１の下方に湾曲する谷部分の上面に形成され、第２指押し部４１２は前段柄部４１の下面における第１指押し部４１１の保持部側に形成され、第３指押し部４１３は前段柄部４１の下面における第１指押し部４１１の後段柄部側に形成される。なお、ここでは、略楕円形状の凹部ではなく、それぞれの指押し部が分断された円形の凹部として形成されもよいし、略楕円形状の凹部において指押し部が他の部分より深く凹んで形成されてもよい。
【００２５】
指通し部４２は、切削作業の際に使用者が指を通す部分であり、リング状の貫通穴として構成される。なお、ここでは、正円形状のものを図示しているが、楕円形や、三角形、ハート形状など他の形状であってもよい。
【００２６】
後段柄部４３は、切削作業の際に使用者が指を掛けたり把持したりする部分であり、幅方向に突出する２つの凸部を含んで構成される。作業者は凸部４３１及び４３２に指を掛けて、調理器具１を手に持つことができる。
【００２７】
図２に示すように、切削作業の際には、例えば、人差し指で前段柄部における第１指押し部を押え、親指及び中指で後段柄部における凸部に掛けて、少なくとも３つの接点をもって調理器具を持つことで、切削部の作業の安定性を確保することができる。
【００２８】
また、ここでは、人差し指で第１指押し部を押え、凸部に指を掛けることで、掌や指全体で柄部を握らなくてもよいため、後部において過度の力が入ることを回避することができる。
【００２９】
また、指押し部が押し当てた指の太さの幅程度で凹んでいるため、押し当てた指がずれることを防止することができる。
【００３０】
また、切削部の動きは安定しているが、切削における引き作業の力が足りない場合は、指通し部を設けて指通し部に指を通すことで、指の位置を切り替えて作業を行うことができる。
【００３１】
柄部４は、後段柄部４３に対して屈曲する屈曲部が前段柄部４１付近に設けられてもよい。屈曲部は、前段柄部４１と一体に形成されてもよい。一例として、屈曲部は、後段柄部４３に対し前段柄部４１の部材を薄くすることや幅を狭くするなどして形成され、食材を切削する際に食材に押しつける力の加減で、刃部２１が食材に対して切削する角度を変化させ、刃の食材に食い込む力を変化させ、引く力をコントロールしやすくすることができる。
また、指押し部４１１に指をかけた場合に後段柄部４３に対して屈曲が発生し、指押し部４１１の押し量を調整することで、食材の削る圧力に変化を与えることができる。
【００３２】
＜実施形態２＞
図３〜図６は、実施形態２に係る調理器具１ａを説明するための図で、図３は正面図、図４（ａ）及び図４（ｂ）は上方及び下方からの斜視図、図５及び図６は切削片を説明するための図である。調理器具１ａは、切削部２ａ及び保持部３ａが実施形態１に係る調理器具１と異なるため、その他の部分については説明を省略する。
【００３３】
切削部２ａにおいて、第２刃部２１２ａは、ガイド部２２に取り付けられるのではなく、第１刃部２１１と上下方向において対向するように配置される。言い換えれば、ここでは、例えば、第１刃部２１１とガイド部２２が所定の間隔をおいて一体に形成され、第２刃部２１２ａは、これらとは別体に形成されてその上下方向の向かい側に配置される。
【００３４】
また、保持部３は、例えば、図示のように両端部が柄部の反対方向に屈折する略Ｙ字形状に形成され、Ｙ字形状の両端において切削部２ａが取り付けられて、保持される。より具体的には、保持部３のＹ字形状の両端において、第１刃部２１１及びガイド部２２が上下方向の一方に取り付けられ、第２刃部２１２ａが他方に取り付けられる。
【００３５】
切削作業においては、一例として、まず、調理器具１ａを第２刃部２１２ａが下方に位置するようにし、人差し指で第２指押し部４１２又は第３指押し部４１３を押えながら、他の指を後段柄部４３の凸部に掛けて、柄部４を把持して、図５（ａ）に示すように、第２刃部２１２ａで食材に切込みを入れる。その際に、使用者は、食材の硬さや手の大きさ等に合わせて、第２指押し部又は第３指押し部を選択することができる。
【００３６】
続いて、調理器具１ａを第１刃部２１１が下方に位置するようにし、人差し指で第１指押し部４１１を押えながら、他の指を後段柄部４３の凸部に掛けて、柄部４を把持して、図５（ｂ）に示すように、切り込まれた部分を削り取るようにして、食材Ｆを細長い切削片Ｐ（千切り）に切削する。
【００３７】
なお、調理器具１ａは、第２刃部側に第１指押し部が、第１刃部側に第２指押し部及び第３指押し部が位置するように構成されてもよいことは言うまでもない。
【００３８】
また、第２刃部２１２ａによる切込み作業においては、図６（ａ）に示すように、第１回目の切込みを斜めに入れてから、第１回目の切込みと交差する第２回目の切込みを斜めに入れるようにしてもよい。この交差形状の切込みを、図６（ｂ）に示すように第１刃部２１１によって削り取ると、食材Ｆは細かな切削片Ｐ（みじん切り）に切削される。
【００３９】
調理器具１ａは、第１刃部のみで食材を薄い切削片に切削することもできるため、上記と合わせて、少なくとも、３つの形態に食材を切削することができる。
【００４０】
また、人差し指で前段柄部における指押し部を押え、親指及び中指で後段柄部における凸部に掛けて、少なくとも３つの接点をもって調理器具を持つことで、切削部の作業の安定性を確保できることは、前述の通りである。
【００４１】
以上、本考案に係る調理器具の実施形態について説明したが、これらは本考案の実施形態の一例に過ぎず、本考案はこれらに限定されるものではない。本考案には、以上の各実施形態を組み合わせた形態や、様々な変形例が含まれる。
【符号の説明】
【００４２】
１、１ａ              調理器具
２、２ａ              切削部
２１                  刃部
２１１                第１刃部
２１２、２１２ａ      第２刃部
２２                  ガイド部
３、３ａ              保持部
４                    柄部
４１                  前段柄部
４１１                第１指押し部
４１２                第２指押し部
４１３                第３指押し部
４２                  指通し部
４３                  後段柄部
【図１】
0003208958.tif 000003
【図２】
0003208958.tif 000004
【図３】
0003208958.tif 000005
【図４】
0003208958.tif 000006
【図５】
0003208958.tif 000007
【図６】
0003208958.tif 000008
【手続補正書】
【提出日】平成28年11月18日(2016.11.18)
【手続補正１】
【補正対象書類名】実用新案登録請求の範囲
【補正対象項目名】全文
【補正方法】変更
【補正の内容】
【実用新案登録請求の範囲】
【請求項１】
切削部と、
前記切削部を保持する保持部と、
前記保持部に接続される柄部と、を含む調理器具であって、
前記柄部には、前記調理器具を押えるための指押し部が設けられる
ことを特徴とする調理器具。
【請求項２】
請求項１に記載の調理器具であって、
前記柄部は、前記保持部に延設される前段柄部と、前記調理器具の末端を構成する後段柄部とを含み、
前記指押し部は、前記前段柄部に設けられる
ことを特徴とする調理器具。
【請求項３】
請求項２に記載の調理器具であって、
前記柄部は、前記前段柄部と前記後段柄部との間にリング状の指通し部を含む
ことを特徴とする調理器具。
【請求項４】
請求項２又は３に記載の調理器具であって、
前記柄部は、前記後段柄部に対して屈曲する屈曲部が前記前段柄部付近に設けられる
ことを特徴とする調理器具。
【請求項５】
請求項１〜４のいずれか一項に記載の調理器具であって、
前記切削部は、第１刃部及び第２刃部の２つの刃部を含み、
前記柄部には、前記第１刃部及び前記第２刃部とそれぞれ対応する前記指押し部が設けられる
ことを特徴とする調理器具。
【請求項６】
請求項５に記載の調理器具であって、
前記第１刃部及び前記第２刃部の一方又は双方は、複数の前記指押し部と対応している
ことを特徴とする調理器具。
【請求項７】
請求項５又は６に記載の調理器具であって、
前記第１刃部は平刃又はギザ刃を含んで構成され、
前記第２刃部は複数の立刃を含んで構成される
ことを特徴とする調理器具。